(57)【要約】【課題】充電式芝刈り機のバッテリーを雨水や塵埃からだけでなく、カッターの濡れた芝草の切断による水や、切り屑などの塵からも確実に保護することができ、しかも防水や防塵のために構成された部品にバラツキがあっても、雨水や塵埃から確実に保護することができ充電式芝刈り機を提供することを目的とする。【解決手段】バッテリからの給電により回転するモータと、該モータの回転により駆動し芝草を切断するカッターを有する充電式芝刈り機において、該モータと、カッターとをカッターハウジング内に設け、該カッターハウジングの上面をハウジングカバーで覆うとともに、該ハウジングカバーの上面と該ハウジングカバーの上面を覆う上部カバーとの間に該バッテリを収納する収納室を形成した。【選択図】図２
2010124697.tif 000002
【特許請求の範囲】
【請求項１】
バッテリからの給電により回転するモータと、該モータの回転により駆動し芝草を切断するカッターを有する充電式芝刈り機において、
該モータと、カッターとをカッターハウジング内に設け、
該カッターハウジングの上面をハウジングカバーで覆うとともに、
該ハウジングカバーの上面と該ハウジングカバーの上面を覆う上部カバーとの間に該バッテリを収納する収納室を形成したことを特徴とする充電式芝刈り機。
【請求項２】
該収納室は、該ハウジングカバーの上面にあって該収納室の一部を形成する部分と、該上部カバーの該ハウジングカバーの上面と対向する側にあって該収納室の一部を形成する部分とが嵌り合う部分をインローに構成したことを特徴とする請求項１に記載の充電式芝刈り機。
【発明の詳細な説明】
【技術分野】
【０００１】
本発明は、バッテリを電源とするモータの回転により、カッターを回転させ芝草を切断する充電式芝刈り機に関するものである。
【背景技術】
【０００２】
通常、充電式芝刈り機は、芝草を切断するカッターを駆動するモータ、モータに給電するバッテリ及びモータの駆動を制御する制御装置等を備えている。
このため、濡れた芝草からの水や、芝草を切断したさいの塵埃から、上記モータ、バッテリ及び制御装置等を保護する必要があった。
【０００３】
そこで、モータやバッテリ等を雨水、濡れた芝草からの水、芝草を切断したさいの塵埃から保護するために、モータと、モータに給電するバッテリと、モータの作動を制御する制御装置とをカッターを収納するカッターハウジングの上面に取り付け、このカッターハウジングの上面を開閉自在に枢支した上部カバー（ハウジングカバー）で覆い、カッターハウジングの上面と上部カバーの下縁とを密着させて収納室（防水／防塵空間）を形成し、この収納室（防水／防塵空間）に上記モータ、バッテリ及び制御装置を収納した技術が知られている。（下記特許文献１参照）
【特許文献１】特開平１０−８４７３８号公報
【発明の開示】
【発明が解決しようとする課題】
【０００４】
しかし、上記技術文献に記載の技術では、カッターハウジングの上面に、直接、バッテリを収納しているので、カッターハウジングと上部カバーとの密着部分からの雨水や、塵の進入は防止できるものの、カッターハウジングに収納されたカッターの濡れた芝草の切断による水や、切り屑などの塵が、モータを冷却するための通風路や部品と部品の隙間などからバッテリの収納室に進入するのを防止することができないという問題がある。
また、カッターハウジングの上面と上部カバーの下縁との密着だけでは、カッターハウジングや上部カバーなどの部品寸法のバラツキにより、均一な密着とならず十分な、防水、防塵ができないという問題がある。
【０００５】
そこで、本発明は、充電式芝刈り機のバッテリを雨水や塵埃からだけでなく、カッターの濡れた芝草の切断による水や、切り屑などの塵からも確実に保護することができ、しかも、防水や防塵のために構成された部品にバラツキがあっても、雨水や塵埃から確実に保護することができ充電式芝刈り機を提供することを目的とする。
【課題を解決するための手段】
【０００６】
本発明は、バッテリからの給電により回転するモータと、該モータの回転により駆動し芝草を切断するカッターを有する充電式芝刈り機において、上記モータと、カッターとをカッターハウジング内に設け、該カッターハウジングの上面をハウジングカバーで覆うとともに、該ハウジングカバーの上面と該ハウジングカバーの上面を覆う上部カバーとの間に上記バッテリを収納する収納室を形成したことを主要な特徴とする。
【０００７】
上記のごとく、カッターハウジングの上面をハウジングカバーで覆うことにより、カッターの濡れた芝草の切断による水や切り屑などの塵がバッテリを収納する収納室に侵入するのを防ぎ、さらに、ハウジングカバーと上部カバーとの間に上記バッテリを収納する収納室を形成したので雨水や塵埃に対しても浸入を防止できてバッテリの保護が確実にできる。
【０００８】
本発明のバッテリを収納する収納室は、上記ハウジングカバーの上面にあって前記収納室の一部を形成する部分と、上記上部カバーの前記ハウジングカバーの上面と対向する側にあって前記収納室の一部を形成する部分とが嵌り合う部分をインローに構成したことを特徴とする。
【０００９】
上記のごとく、本発明のバッテリを収納する収納室は、ハウジングカバーの上面にあって前記収納室の一部を形成する部分と、上記上部カバーの前記ハウジングカバーの上面と対向する側にあって前記収納室の一部を形成する部分とが嵌り合う部分をインローに構成したので、収納室を構成する部品に多少のバラツキがあっても、収納室を確実に密閉状態とでき、雨水や塵埃に対してその浸入を防止できてバッテリの保護が確実にできる。
【発明の効果】
【００１０】
本発明の充電式芝刈り機は、バッテリを雨水や塵埃に対する保護だけでなく、カッターの濡れた芝草の切断による水や、切り屑などの塵に対する保護も確実にでき、しかも、防水や防塵のために構成された部品に多少のバラツキがあっても、雨水や塵埃から確実に保護することができるという利点がある。
【発明を実施するための最良の形態】
【００１１】
以下、本発明の充電式芝刈り機の一実施例を図面にもとづいて説明する。図１は、本実施例における充電式芝刈り機の側面図である。図２は、本実施例における充電式芝刈り機の断面側面図である。
【００１２】
図１に示すように、充電式芝刈り機１は、本体部２、本体部２の前部にあって左右（図１の紙面に垂直な方向）一対のホイールからなる前輪６、後部にあって左右に延びる円筒状の後輪７が設けられている。本体部２の後部には、この本体部２の両側に回転可能に軸支された一対の支持柄８、この一対の支持柄８の先端部に設けられたグリップ９、グリップ部９に設けられ操作者の引き込み操作により後述のモータ１４を起動するスイッチ１０とからなるハンドル部１１が、前後方向に所定範囲回動可能に設けられている。
【００１３】
さらに、ハンドル部１１のグリップ部９の前方には、後述のモータ１４を制御する図示を省略した制御装置を収納し、バッテリの残量などを表示する表示部を設けた制御ボックス１２が設けられている。このように、制御ボックス１２を本体部２から離れた位置に設けることにより、モータ１４からの熱や、切り屑などの塵から制御装置などを保護しやすくなっている。
【００１４】
本体部２の後端には、切断した芝草を収納するグラスキャッチャー１３が着脱可能に取付けられている。
【００１５】
次に、本体部２は、図１、図２に示すように、その回転軸１４ａを左右方向（図１、図２の紙面に垂直な方向）に配置して設けられたモータ１４と、このモータ１４の回転軸１４ａに平行に設けられ、図示を省略したベルトとプーリーを介して駆動されるリール刃式のカッター１５とを収納しているカッターハウジング３と、このカッターハウジング３の上面を覆うハウジングカバー４、および、このハウジングカバー４の上面を覆う上部カバー５から構成されている。
【００１６】
上記カッターハウジング３は、その下方（地面側）と後方が開口した箱状体であり、下方の開口には、上記カッター１５が上下方向にその取り付け位置を調整可能に取付けられている。後方の開口３ｂからは、カッター１５が切断した芝草が上記グラスキャッチャー１３に排出される。
【００１７】
カッターハウジング３の上部は前方から後方に至る天板３ａで形成されていて、その一部が開口し、その開口部には、モータ支持板２０が図示を省略したねじにより固定され開口を塞いでいる。このモータ支持板２０の上部には、内部にモータ１４を収納した２つ割りのモータハウジング２１が図示を省略したねじにより固定されている。モータハウジング２１には、モータ１４を冷却するための図示を省略した通風路が形成されている。この通風路は、カッターハウジング３と、このカッターハウジング３の上面を覆うハウジングカバー４とで形成された空間２２に通じ、さらに、上記ハウジングカバー４の側面に形成された冷却風取入口４ｅに通じ、外部から冷却風を取入れている。上記モータ１４の回転は、モータ１４の回転軸１４ａに固定された図示を省略した小プーリーと、同じくカッターの回転軸１５ａに固定された図示を省略した大プーリーと、同じく図示を省略したベルトを介して伝達され、カッター１５を駆動する。
【００１８】
上記カッターハウジング３の天板３ａの上面は、下方が開口した箱状体からなるハウジングカバー４で覆われている。このハウジングカバー４は、開口側を下にして複数本のねじ４２にてカッターハウジング３の天板３ａに固定されている。また、ハウジングカバー４の後端部には、上記グラスキャッチャー１３を係止するためのフック部４ｂが一体に形成されている。
【００１９】
ハウジングカバー４の天板４ａの後方上面には、内部にパック電池１７を収納したバッテリパック１６の端子と、前記制御装置につながる電力線とを接続するための端子を備えた端子ボックス４１が、ねじ４３で固定されている。この端子ボックス４１の端子にバッテリパック１６の接続端子を挿入、あるいは、離脱させることでバッテリパック１６の着脱を行う。なお、バッテリパック１６は本発明におけるバッテリに相当する。
【００２０】
ハウジングカバー４の天板４ａの略中央から後端に至る上面には、一方の側面を傾斜面４ｄに、他方の側面を垂直に形成した凸部４ｃが、上記バッテパック１６の全周を囲む範囲に形成されている。
【００２１】
上記ハウジングカバー４の天板４ａの上面は、下方が開口した略お椀状の上部カバー５で覆われている。この上部カバー５の開口側である内側の略中央から後端に至る面には、ハウジングカバー４の天板４ａの上面に向けて、上記ハウジングカバー４の天板４ａに形成された凸部４ｃに対向する位置に、垂直な壁５ａが形成されている。この垂直な壁５ａの下端は、傾斜面５ｂに形成されている。この上部カバー５の壁５ａの傾斜面５ｂと上記ハウジングカバー４の凸部４ｃの傾斜面４ｄとを嵌め合わせることでインローを構成し、密着している。
【００２２】
なお、本実施例でのインローは、上記ハウジングカバー４の天板４ａの上面に一方の側面を傾斜面とする凸部４ｃを形成し、上部カバー５の壁５ａの下端に傾斜面５ｂを形成したものであるが、ハウジングカバー４の天板４ａの上面にＶ溝を形成し、壁５ａの下端をＶ字形状にしてもよいし、ハウジングカバー４の天板４ａの上面に逆Ｖ字の凸部を形成し、壁５ａの下端に逆Ｖ字溝を形成してもよく、インローの形状は特に限定するものではない。
【００２３】
また、上部カバー５の後端の両側には、一対の支持軸５ｄが一体に形成されている。この支持軸５ｄは、上記ハウジングカバー４の後端に形成され図示を省略した一対の孔に回動可能に挿入されている。そして、上部カバー５は、この支持軸５ｄを中心に上下に回動する。
さらに、上部カバー５の先端には、係止突起５ｃが一体に形成されている。一方、ハウジングカバー４の先端にあって、上記係止突起５ｃに対向する位置には、係止レバー１９が支軸１９ａを中心に回動可能に設けられている。この係止レバー１９には、上記係止突起５ｃが係合する係止凹部１９ｂが形成されている。また、係止レバー１９は、上部カバー５が閉じられている状態で、上記係止凹部１９ｂに係止突起５ｃが確実に係合するべく、ばね１９ｃにより、支軸１９ａを中心にして、常時、図中、時計回り方向に付勢されている。
【００２４】
バッテリパック１６を取り出す場合には、係止レバー１９の係止凹部１９ｂとは反対側の端部を押し下げ、回動し、係止凹部１９ｂから係止突起５ｃを解除した後、上部カバー５を持ち上げ、回動させて開き、バッテリパック１６を取り出し可能とする。
【００２５】
このように、本発明のバッテリパック１６の収納室１８は、ハウジングカバー４の天板４ａの上面、この上面に形成されたバッテリパック１６の全周を囲む範囲の凸部４ｃ、上部カバー５、この上部カバー５の内側にあって上記バッテリパック１６の凸部４ｃに対向する位置に形成された壁５ａにより形成され、さらに、上記凸部４ｃの傾斜面４ｄと壁５ａの下端の傾斜面５ｂとでインローを構成している。
【００２６】
このインローの嵌め合わせにより、本発明のバッテリパック１６の収納室１８は、ハウジングカバー４や上部カバー５などの部品の寸法に多少のバラツキが生じても、確実に密閉状態を確保できるので、雨水や塵埃からバッテリパック１６を保護できる。
【００２７】
また、本発明のバッテリパック１６の収納室１８は、カッター１５から、カッターハウジング３の天板３ａと、この天板３ａの上面に設けられたハウジングカバー４の天板４ａとにより２重に隔離されているので、カッター１５の濡れた芝草の切断による水や、切り屑などの塵が内部に侵入するのを確実に防止できる。
さらに、モータ１４からは、ハウジングカバー４の天板４ａにて隔離されているので、モータ１４の熱からもバッテリパック１６を確実に保護できる。
【産業上の利用可能性】
【００２８】
本実施例では、本発明をリール刃式のカッターを有する充電式芝刈り機や、モータを横に配置した（モータの回転軸を地面に平行に配置した）充電式芝刈り機に採用したが、円盤状のカッターを有する充電式芝刈り機や、モータを縦に配置した（モータの回転軸を地面に垂直に配置した）充電式芝刈り機にも適用できる。
【図面の簡単な説明】
【００２９】
【図１】本実施例における充電式芝刈り機の側面図である。
【図２】本実施例における充電式芝刈り機の断面側面図である。
【符号の説明】
【００３０】
１      充電式芝刈り機
２      本体部
３      カッターハウジング
４      ハウジングカバー
４ｄ    傾斜面
５      上部カバー
５ｂ    傾斜面
１６    バッテリパック（バッテリ）
１８    収納室
【図１】
2010124697.tif 000003
【図２】
2010124697.tif 000004